(57)【要約】【課題】操作工数を低減し、かつ各種操作を容易に実行することができる記録装置及びその制御方法、プログラムを提供する。【解決手段】記録媒体を載置するトレイを当該記録装置内部へ搬送するためのガイド部材を装着可能な装着機構を有し、ガイド部材の装着状態を検出する。その検出結果に基づいて、複数種類の動作を割り付けるためのキーに所定動作を割り付ける制御。【選択図】　図６
2004082627.tif 000002
【特許請求の範囲】
【請求項１】
記録媒体に記録を行う記録装置であって、
前記記録媒体を載置するトレイを当該記録装置内部へ搬送するためのガイド部材を装着可能な装着機構と、
前記ガイド部材の装着状態を検出する検出手段と、
複数種類の動作を割り付けるための操作手段と、
前記検出手段の検出結果に基づいて、前記操作手段に所定動作を割り付ける制御手段と、
を備えることを特徴とする記録装置。
【請求項２】
前記検出手段で前記ガイド部材が装着されていることが検出され、かつ前記トレイが当該記録装置の搬送機構にかみこまれていない場合、前記制御手段は、前記操作手段に該トレイのかみこみ動作を割り付ける
ことを特徴とする請求項１に記載の記録装置。
【請求項３】
前記検出手段によって前記ガイド部材が装着されていることが検出され、かつ前記トレイが当該記録装置の搬送機構にかみこまれている場合、前記制御手段は、前記操作手段に該トレイのかみこみ解除動作を割り付ける
ことを特徴とする請求項１に記載の記録装置。
【請求項４】
前記操作手段の押下時間を測定する測定手段と、
前記制御手段は、前記測定手段で測定された押下時間と前記検出手段の検出結果に基づいて、前記操作手段に所定動作を割り付ける
ことを特徴とする請求項１に記載の記録装置。
【請求項５】
前記測定手段で測定された押下時間が第１所定時間未満であり、かつ前記検出手段によって前記ガイド部材が装着されていることが検出され、更に前記トレイが当該記録装置の搬送機構にかみこまれていない場合、前記制御手段は、前記操作手段に該トレイのかみこみ動作を割り付ける
ことを特徴とする請求項４に記載の記録装置。
【請求項６】
前記測定手段で測定された押下時間が第１所定時間未満であり、かつ前記検出手段によって前記ガイド部材が装着されていることが検出され、更に前記トレイが当該記録装置の搬送機構にかみこまれている場合、前記制御手段は、前記操作手段に該トレイのかみこみ解除動作を割り付ける
ことを特徴とする請求項４に記載の記録装置。
【請求項７】
前記測定手段で測定された押下時間が第１所定時間以上かつ第２所定時間未満である場合、前記制御手段は、前記操作手段に当該記録装置のクリーニング動作を割り付ける
ことを特徴とする請求項４に記載の記録装置。
【請求項８】
前記測定手段で測定された測定時間が第２所定時間以上であり、かつ前記検出手段によって前記ガイド部材が装着されていることが検出された場合、前記制御手段は、前記操作手段に当該記録装置の各種ローラのローラクリーニング動作を割り付ける
ことを特徴とする請求項４に記載の記録装置。
【請求項９】
ホストから受信する印刷ジョブの処理中に、前記キーが押下された場合、前記制御手段は、前記キーに該印刷ジョブのキャンセル動作を割り付ける
ことを特徴とする請求項１に記載の記録装置。
【請求項１０】
記録媒体を載置するトレイを当該記録装置内部へ搬送するためのガイド部材を装着可能な装着機構を有し、前記記録媒体に記録を行う記録装置の制御方法であって、
前記ガイド部材の装着状態を検出する検出工程と、
前記検出工程の検出結果に基づいて、複数種類の動作を割り付けるための操作手段に所定動作を割り付ける制御工程と
を備えることを特徴とする記録装置の制御方法。
【請求項１１】
記録媒体を載置するトレイを当該記録装置内部へ搬送するためのガイド部材を装着可能な装着機構を有し、前記記録媒体に記録を行う記録装置の制御を実現するためのプログラムであって、
前記ガイド部材の装着状態を検出する検出工程のプログラムコードと、
前記検出工程の検出結果に基づいて、複数種類の動作を割り付けるための操作手段に所定動作を割り付ける制御工程のプログラムコードと
を備えることを特徴とするプログラム。
【発明の詳細な説明】
【０００１】
【発明の属する技術分野】
本発明は、記録媒体に記録を行う記録装置及びその制御方法、プログラムに関するものである。
【０００２】
【従来の技術】
従来のプリンタの操作パネルに配置されているキーやボタンに割り付けられている機能は、プリンタに装着可能なオプション部品の装着の有無を判断して、そのキーやボタンに割り付けられている機能を変更することはできなかった。
【０００３】
【発明が解決しようとする課題】
しかしながら、上記従来技術において、ユーザーがオプション部品をプリンタに装着して、そのオプション部品に関する操作を行いたい場合には、オプション部品を操作するためのオプション用のキー操作やボタン操作を別途設定しておくか、そのオプション部品を操作するための専用キーを別途設けていた。
【０００４】
このように、従来のプリンタでは、プリンタに別途装着可能なオプション部品に対する操作を行う場合には、操作工数が増えたり、コストがかかるという課題が生じていた。
【０００５】
本発明は上記の課題を解決するためになされたものであり、操作工数を低減し、かつ各種操作を容易に実行することができる記録装置及びその制御方法、プログラムを提供することを目的とする。
【０００６】
【課題を解決するための手段】
上記の目的を達成するための本発明による記録装置は以下の構成を備える。即ち、
記録媒体に記録を行う記録装置であって、
前記記録媒体を載置するトレイを当該記録装置内部へ搬送するためのガイド部材を装着可能な装着機構と、
前記ガイド部材の装着状態を検出する検出手段と、
複数種類の動作を割り付けるための操作手段と、
前記検出手段の検出結果に基づいて、前記操作手段に所定動作を割り付ける制御手段と、
を備える。
【０００７】
また、好ましくは、前記検出手段で前記ガイド部材が装着されていることが検出され、かつ前記トレイが当該記録装置の搬送機構にかみこまれていない場合、前記制御手段は、前記操作手段に該トレイのかみこみ動作を割り付ける。
【０００８】
また、好ましくは、前記検出手段によって前記ガイド部材が装着されていることが検出され、かつ前記トレイが当該記録装置の搬送機構にかみこまれている場合、前記制御手段は、前記操作手段に該トレイのかみこみ解除動作を割り付ける。
【０００９】
また、好ましくは、前記操作手段の押下時間を測定する測定手段と、
前記制御手段は、前記測定手段で測定された押下時間と前記検出手段の検出結果に基づいて、前記操作手段に所定動作を割り付ける。
【００１０】
また、好ましくは、前記測定手段で測定された押下時間が第１所定時間未満であり、かつ前記検出手段によって前記ガイド部材が装着されていることが検出され、更に前記トレイが当該記録装置の搬送機構にかみこまれていない場合、前記制御手段は、前記操作手段に該トレイのかみこみ動作を割り付ける。
【００１１】
また、好ましくは、前記測定手段で測定された押下時間が第１所定時間未満であり、かつ前記検出手段によって前記ガイド部材が装着されていることが検出され、更に前記トレイが当該記録装置の搬送機構にかみこまれている場合、前記制御手段は、前記操作手段に該トレイのかみこみ解除動作を割り付ける。
【００１２】
また、好ましくは、前記測定手段で測定された押下時間が第１所定時間以上かつ第２所定時間未満である場合、前記制御手段は、前記操作手段に当該記録装置のクリーニング動作を割り付ける。
【００１３】
また、好ましくは、前記測定手段で測定された測定時間が第２所定時間以上であり、かつ前記検出手段によって前記ガイド部材が装着されていることが検出された場合、前記制御手段は、前記操作手段に当該記録装置の各種ローラのローラクリーニング動作を割り付ける。
【００１４】
また、好ましくは、ホストから受信する印刷ジョブの処理中に、前記キーが押下された場合、前記制御手段は、前記キーに該印刷ジョブのキャンセル動作を割り付ける。
【００１５】
また、好ましくは、記録媒体を載置するトレイを当該記録装置内部へ搬送するためのガイド部材を装着可能な装着機構を有し、前記記録媒体に記録を行う記録装置の制御方法であって、
前記ガイド部材の装着状態を検出する検出工程と、
前記検出工程の検出結果に基づいて、複数種類の動作を割り付けるための操作手段に所定動作を割り付ける制御工程と
を備える。
【００１６】
また、好ましくは、記録媒体を載置するトレイを当該記録装置内部へ搬送するためのガイド部材を装着可能な装着機構を有し、前記記録媒体に記録を行う記録装置の制御を実現するためのプログラムであって、
前記ガイド部材の装着状態を検出する検出工程のプログラムコードと、
前記検出工程の検出結果に基づいて、複数種類の動作を割り付けるための操作手段に所定動作を割り付ける制御工程のプログラムコードと
を備える。
【００１７】
【発明の実施の形態】
以下、本発明の実施の形態について図面を用いて詳細に説明する。
【００１８】
尚、以下に説明する実施形態では、インクジェット記録方式を用いた記録装置として、インクジェットプリンタ（以下、プリンタと略称する）を例に挙げ説明する。但し、本発明は、インクジェットプリンタに限定されず、以下に説明する動作や機構、機能を実現できるプリンタ、例えば、レーザビーム方式、熱転写方式等の他の記録方式のプリンタであれば、どのようなものでも良い。
【００１９】
図１は本発明の実施形態のプリンタの外観を示す斜視図である。
【００２０】
図１において、この実施形態におけるプリンタの外殻をなす装置本体１０００は、下ケース１００１、上ケース１００２、アクセスカバー１００３及び排出トレイ１００４の外装部材と、その外装部材内に収納されたシャーシ１７（図２）とから構成される。シャーシ１７は、所定の剛性を有する複数の板状金属部材によって構成され、プリンタ１０００の骨格をなし、後述の各記録動作機構を保持するものとなっている。
【００２１】
また、下ケース１００１は装置本体１０００の略下半部を、上ケース１００２は装置上本体１０００の略上半部をそれぞれ形成しており、両ケースの組合せによって内部に後述の各機構を収納する収納空間を有する中空体構造をなし、その上面部及び前面部にはそれぞれ開口部が形成されている。
【００２２】
さらに、排出トレイ１００４はその一端部が下ケース１００１に回転自在に保持され、その回転によって下ケース１００１の前面部に形成される開口部１０１４を開閉させ得るようになっている。このため、記録動作を実行させる際には、排出トレイ１００４を前面側へと回転させて開口部１０１４を開成させることにより、ここから記録媒体が排出可能となると共に排出された記録媒体を順次積載し得るようになっている。
【００２３】
また、排紙トレイ１００４には、２枚の補助トレイ１００４ａ、１００４ｂが収納されており、必要に応じて各トレイを手前に引き出すことにより、用紙の支持面積を３段階に拡大、縮小させ得るようになっている。
【００２４】
アクセスカバー１００３は、その一端部が上ケース１００２に回転自在に保持され、上面に形成される開口部を開閉し得るようになっており、このアクセスカバー１００３を開くことによって本体内部に収納されている記録ヘッド１の交換が可能となる。
【００２５】
尚、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００２６】
また、本実施形態では、図５でその模式側面図が示されるように、プリンタ１０００の開口部１０１４から、様々な厚さの記録媒体（例えば、ＣＤ−Ｒ、カートリッジ型記憶媒体（ＭＯ、ＤＶＤ−ＲＡＭ等））を載置してプリンタ１０００へ搬送するためのトレイ１０１６（図５）と、そのトレイ１０１６をプリンタ１０００内へ案内、支持するトレイガイド１０１７（図５）を前面から装着可能な装着機構が構成されている。特に、図５では、トレイガイド１０１７の装着後の状態として、トレイ１０１６が開口部１０１４にかみこまれている様子を示している。
【００２７】
また、開口部１０１４付近にトレイガイドセンサ２８（図２）を配置することで、トレイガイド１０１７の装着の有無を検出できるようになっている。
【００２８】
また、上ケース１００２の後部上面には、電源キー１８及びファンクションキー１９が押下可能に設けられると共に、ＬＥＤ２００が設けられており、電源キー１８を押下すると、ＬＥＤ２００が点灯し記録可能であることをオペレータに知らせるものとなっている。また、ＬＥＤ２００は点滅の仕方や色の変化をさせたり、ブザーをならすことによりプリンタ１０００のトラブル等をオペレータに知らせる等種々の表示機能を有する。
【００２９】
尚、トラブル等が解決した場合には、ファンクションキー１９を押下することによって記録が再開されるようになっている。これに加えて、本実施形態では、後述するような、様々な動作をファンクションキー１９に設定することができる。
【００３０】
また、これらの電源キー１８及びファンクションキー１９は、その機能が実現できる操作手段であれば、キー以外の形態、例えば、ボタンやスイッチ（ジョブダイヤルスイッチ、シャトルスイッチ）、タッチパネル等の他の操作手段で実現されても良い。
【００３１】
図２は本発明の実施形態のプリンタの外装部材を取り外した状態を示す斜視図である。
【００３２】
図２において、記録ヘッド１はこれにインクを供給するインクタンク７とともに連結され一体となってインクカートリッジ２０を構成する。
【００３３】
尚、本実施形態では、インクカートリッジ２０は記録ヘッド１とインクタンク７とが分離可能な構成となっているが、記録ヘッド１とインクタンク７とが一体化したインクカートリッジ２０を用いても良い。また、インクカートリッジ２０は、Ｙ（イエロ）、Ｍ（マゼンタ）Ｃ（シアン）、Ｋ（ブラック）の４色のインクを１個のインクカートリッジに収めた構成となっている。いずれの構成にしても、このインクカートリッジはプリンタ１０００に対して着脱可能、交換可能である。
【００３４】
また、インクタンク７の底面にはインク残量検出を行うための光反射面或いは光学プリズムが設けられている。
【００３５】
図２において、記録ヘッド１は図中下向きにインクを吐出する姿勢でキャリッジ２に搭載されており、キャリッジ２をガイド軸３に沿って移動させながらインク液滴を吐出して記録用紙のような記録媒体（不図示）上に画像を形成していく。
【００３６】
尚、キャリッジ２の左右移動（往復移動）はキャリッジモータ４の回転によりタイミングベルト５を介して行われる。キャリッジ２には係合爪６が設けられ、インクタンクの係合穴７ａと係合して、キャリッジ２にインクタンク７は固定される。
【００３７】
記録動作としては、記録ヘッド１の１走査分の記録が終了すると、記録動作を中断し、プラテン８上に位置する記録媒体をフィードモータ９の駆動により所定量だけ搬送し、次いで再びキャリッジ２をガイド軸３に沿って移動させながら次の１走査分の画像形成を行う。
【００３８】
また、装置本体の右側には、記録ヘッド１のインク吐出状態を良好に保つための回復動作を行う回復部１０が配設されており、その回復部１０には記録ヘッド１をキャップするキャップ１１、記録ヘッド１のインク吐出面をクリーニングするワイパ１２、及び記録ヘッド１のインク吐出ノズルからインクを吸引するための吸引ポンプ（不図示）等が設けられている。
【００３９】
また、記録媒体を搬送するためのフィードモータ９の駆動力は本来の記録媒体搬送機構に伝達される他に、自動給紙装置（ＡＳＦ）１３へも伝達される。
【００４０】
従って、記録媒体、例えば、記録用紙１頁分の記録が終了するとフィードモータ９が駆動し、その記録用紙をフィードローラ（不図示）を介してプリンタ１０００の外に排出するとともに、次の記録用紙に記録が行なわれる場合にはＡＳＦ１３も駆動され、次の記録用紙をＡＳＦ１３に積載された記録用紙から給紙ローラ（不図示）を介して給紙する。
【００４１】
さらに、回復部１０の横側には赤外ＬＥＤ（発光素子）１５及びフォトトランジスタ（受光素子）１６から成るインク残量検出を行うための反射型センサを構成する光学式センサ１４が設けられている。これらの発光素子１５と受光素子１６とは記録用紙の搬送方向（矢印Ｆの方向）に沿って並ぶように取り付けられている。
【００４２】
光学式センサ１４は、装置本体のシャーシ１７に取り付けられている。インクカートリッジ２０がキャリッジ２に搭載され、図２に示された位置より右方向へと移動すると、インクカートリッジ２０は光学式センサ１４上に位置するようになる。そして、インクタンク７の底面よりインクの状態を光学式センサ１４によって検出することが可能となる。
【００４３】
また、上述した、トレイガイド１０１７の装着の有無を検出するトレイガイドセンサ２８は、開口部１０１４とプリンタ１０００の底部の間の一側面に設置されている。また、このトレイガイドセンサ２８の配置をプリンタ１０００の正面から見た場合の模式正面図が図４である。
【００４４】
図３は本発明の実施形態のプリンタの制御回路を示すブロック図である。
【００４５】
図３において、１７００は、例えば、ホストコンピュータなどの外部装置から記録信号を入力するインタフェース、１７０１はＭＰＵ、１７０２は図６のフローチャートを実行するためのプログラムを含むＭＰＵ１７０１が実行する制御プログラム（必要によっては文字フォントを含む）を格納するＲＯＭ、１７０３は各種データ（上記記録信号や記録ヘッド１０２に供給される記録データ等）を一時的に保存しておくＤＲＡＭである。１７０４は記録ヘッド１に対する記録制御を行うゲートアレイ（Ｇ．Ａ．）であり、インタフェース１７００、ＭＰＵ１７０１、ＲＡＭ１７０３間のデータ転送制御も行う。
【００４６】
４は上述した記録ヘッド１を主走査方向に移動させるためのキャリッジモータであり、９は記録媒体あるいはトレイ１０１６を搬送するためのフィードモータである。１７０５は記録ヘッド１を駆動するヘッドドライバ、１７０６、１７０７はそれぞれフィードモータ９、キャリッジモータ４を駆動するためのモータドライバである。
【００４７】
また、トレイガイドセンサ２８によって、トレイガイド１０１７の装着状態を検出するガイド検出部１７１１の動作は、ＭＰＵ１７０１によって制御される。
【００４８】
上記制御回路の動作概要を説明すると、インタフェース１７００に記録信号が入力されるとゲートアレイ１７０４とＭＰＵ１７０１との間で記録信号がプリント用の記録データに変換される。そして、モータドライバ１７０６、１７０７が駆動されると共に、ヘッドドライバ１７０５に送られた記録データに従って記録ヘッド１が駆動され、記録動作が行われる。
【００４９】
尚、プリンタ１０００に記録信号を供給するホストコンピュータは、不図示のキーボード、マウス、ディスプレイ、ＣＰＵ、ＲＡＭ、ＲＯＭ、ネットワークインタフェース、プリンタインタフェース等の、いわゆる、パーソナルコンピュータやワークステーション等の汎用コンピュータを構成する各種構成要素を有している。
【００５０】
また、ホストコンピュータには記録画像データを生成するアプリケーションとプリンタドライバとがインストールされている。アプリケーションでは記録するためのデータをユーザとのマンマシンインタフェースによって作成・編集され、そのデータはプリンタドライバに渡される。プリンタドライバはプリンタ１０００が受信可能なデータ形式にデータを変換し、またプリンタ１０００を制御するために必要な情報を付加して、そのデータ（記録信号）をプリンタ１０００に対して送信する。
【００５１】
一方、プリンタ１０００からはホストコンピュータが記録制御のために必要な情報をホストコンピュータのプリンタドライバに対して送信する。
【００５２】
次に、ファンクションキー１９に複数種類の動作を設定する場合の処理について、図６を用いて説明する。
【００５３】
図６は本発明の実施形態のプリンタのファンクションキーに複数種類の動作を設定する場合の処理を示すフローチャートである。
【００５４】
尚、図６で実現される処理は、プリンタ１０００内部のＲＯＭ１７０２に記憶されるプログラムがＭＰＵ１７０１によって実行されることによって実現されても良いし、専用のハードウエアで実現されても良い。
【００５５】
ステップＳ２１で、ファンクションキー１９の押下を検知する。ステップＳ２２で、ファンクションキー１９の押下時間ｔ（ｓｅｃ）、つまり、ファンクションキー１９が押下されてから放されるまでの時間を計測する。
【００５６】
次に、プリンタ１０００がホストからの印刷ジョブを処理中であるか否かを判定する。印刷ジョブの処理中である場合（ステップＳ２３でＹＥＳ）、ステップＳ２４に進み、ファンクションキー１９にジョブキャンセル動作を割り付けて、現在の印刷ジョブのジョブキャンセル動作を実行する。その後、アイドル状態に戻る。
【００５７】
一方、ジョブ中でない場合（ステップＳ２３でＮＯ）、つまり、アイドル中である場合、その押下時間ｔに応じて、以下のステップＳ２５〜ステップＳ２７で示される処理に分岐する。
【００５８】
本実施形態では、押下時間ｔに対し、０＜ａ＜ｂの関係を満足する閾値を定義する。そして、押下時間ｔが、０≦ｔ＜ａ，ａ≦ｔ＜ｂ，ｂ≦ｔのいずれかを満足する場合に、それぞれの場合に対する処理を実行する場合を例に挙げて説明する。また、ａ（第１所定時間）、ｂ（第２所定時間）の具体例としては、ａ＝１（秒）、ｂ＝３（秒）となっている。
【００５９】
まず、ステップＳ２５において、押下時間ｔが０≦ｔ＜ａであるか否かを判定する。０≦ｔ＜ａである場合（ステップＳ２５でＹＥＳ）、ステップＳ２８に進み、ガイド検出部１７１１によって、トレイガイド１０１７の装着の有無を判定する。トレイガイド１０１７が装着されていない場合（ステップＳ２８でＮＯ）、キー操作無効とし、アイドル状態に戻る。一方、トレイガイド１０１７が装着されている場合（ステップＳ２８でＹＥＳ）、ステップＳ２９に進み、トレイ１０１６がかみこみ中であるか否かを判定する。
【００６０】
尚、このかみこみ中であるか否かの判定は、トレイかみこみ動作を行えば、かみこみ中となる。一方、ソフトパワーオンから、トレイかみこみ動作を行っていない場合と、かみこみ解除動作を行った場合は、かみこみ中でないと判定する。
【００６１】
また、トレイかみこみ動作とは、フィードモータ９を駆動することによって、プリンタ１０００の開口部１０１４からトレイ１０１６をプリンタ１０００のピンチローラ（搬送機構）にかみこませる動作である。このトレイかみこみ動作は、通常の記録媒体（記録用紙等）の搬送動作におけるフィードモータ９の駆動を逆駆動することで、トレイ１０１６を開口部１０１４からプリンタ１０００内部へ取り込むことができる。
【００６２】
また、かみこみ状態は、プリンタ１０００にかみこみ確認センサ（不図示）を設け、それによってトレイ１０１６がかみこまれているか否かを確認しても良いし、かみこみ確認センサを設けない場合には、トレイかみこみ動作を行ったらかみ込み状態としてもよい。
【００６３】
トレイかみこみ解除動作とは、フィードモータ９を駆動して、プリンタ１０００内部から外部へ排出する動作を行う。これは、通常の記録媒体の搬送動作におけるフィードモータ９の駆動と同様の駆動を行うことで実現される。
【００６４】
かみこみ無し状態は、かみこみ確認センサを設けて、それによってトレイ１０１６がかみこまれているかを確認しても良いし、かみこみ確認センサを設けない場合には、かみこみ解除動作を行ったらかみ込み無し状態としてもよい。
【００６５】
以下の説明では、かみこみ確認センサがない場合で説明を行う。
【００６６】
トレイかみこみ動作後は、ステップＳ２１０で、ファンクションキー１９にトレイかみこみ解除動作が割り付けられ、トレイかみこみ解除動作を行う。
【００６７】
一方、トレイかみこみ動作がなされていない場合は、ステップＳ２１１で、ファンクションキー１９にトレイかみこみ動作が割り付けられ、トレイかみこみ動作を行う。
【００６８】
次に、押下時間ｔが０≦ｔ＜ａでない場合、ステップＳ２６で、押下時間ｔがａ≦ｔ＜ｂであるか否かを判定する。ａ≦ｔ＜ｂである場合（ステップＳ２６でＹＥＳ）、ステップＳ２１２に進み、ファンクションキー１９にクリーニング動作を割り付けて、クリーニング動作を実行する。その後、アイドル状態に戻る。
【００６９】
尚、クリーニング動作とは、インクジェットプリンタ１０００の場合、記録ヘッド１のインクを吸引し、インク吐出面をワイプすることである。また、記録装置がレーザビームプリンタである場合は、例えば、ドラム上のトナー除去等がクリーニング動作に該当する。
【００７０】
一方、ステップＳ２６で、ａ≦ｔ＜ｂでない場合（ステップＳ２６でＮＯ）、ステップＳ２７に進み、押下時間ｔがｂ≦ｔであるか否かを判定する。ｂ≦ｔでない場合（ステップＳ２７でＮＯ）、アイドル状態に戻る。一方、ｂ≦ｔである場合（ステップＳ２７でＹＥＳ）、ステップＳ２１３に進む。
【００７１】
一方、ステップＳ２１３で、トレイガイド１０１７の装着の有無を判定する。トレイガイド１０１７が装着されている場合（ステップＳ２１４でＮＯ）、アイドル状態に戻る。一方、トレイガイド１０１７が装着されていない場合（ステップＳ２１３でＮＯ）、ステップＳ２１４へ進み、ファンクションキー１９に、プリンタ１０００の各種ローラのローラクリーニング動作を割り付けて、ローラクリーニング動作を実行する。その後、アイドル状態に戻る。
【００７２】
尚、ローラクリーニング動作とは、本実施形態では、給紙ローラを空回りさせ、給紙ローラに付着しているごみをクリーニングする動作であるとするが、これ以外のローラ、例えば、フィードローラ、ピンチローラ等の他のローラをクリーニングする動作を併せて実行しても良い。
【００７３】
以上説明したように、本実施形態によれば、ひとつのファンクションキー１９で、トレイガイド１０１７の装着状態と、トレイ１０１６のかみこみ状態と、キーの押下時間に基づいて、トレイ１０１６のかみこみ動作とかみこみ解除動作を操作することが可能となり、汎用的なプリンタに通常構成されている電源キー１８とファンクションキー１９によって、容易にトレイ１０１６に対する操作を実現することができる。
【００７４】
加えて、プリンタ１０００のファンクションキー１９に複数種類の動作を割り付け可能にすることで、例えば、ユーザーは印刷を中止したいときも、ファンクションキー１９を押下することで解除可能となる。また、トレイガイド１０１７を装着時には、ファンクションキー１９を押下することで、トレイ１０１６のかみこみ動作を実行させることができる。
【００７５】
このように、ひとつのファンクションキー１９の操作で、印刷の開始や中断、トレイ１０１６のかみこみ動作やかみこみ解除動作が可能となる。つまり、プリンタ１０００の状態により、ファンクションキー１９に実行させる動作を変更できるので、ひとつのファンクションキー１９で複数種類の操作を実行することが可能となる。
【００７６】
尚、以上の実施形態において、記録ヘッドから吐出される液滴はインクであるとして説明し、さらにインクタンクに収容される液体はインクであるとして説明したが、その収容物はインクに限定されるものではない。例えば、記録画像の定着性や耐水性を高めたり、その画像品質を高めたりするために記録媒体に対して吐出される処理液のようなものがインクタンクに収容されていても良い。
【００７７】
以上の実施形態は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【００７８】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
【００７９】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００８０】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００８１】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００８２】
加えて、上記の実施形態で説明した記録ヘッド自体に一体的にインクタンクが設けられたカートリッジタイプの記録ヘッドのみならず、装置本体に装着されることで、装置本体との電気的な接続や装置本体からのインクの供給が可能になる交換自在のチップタイプの記録ヘッドを用いてもよい。
【００８３】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００８４】
以上説明した実施の形態においては、インクが液体であることを前提として説明しているが、室温やそれ以下で固化するインクであっても、室温で軟化もしくは液化するものを用いても良く、あるいはインクジェット方式ではインク自体を３０°Ｃ以上７０°Ｃ以下の範囲内で温度調整を行ってインクの粘性を安定吐出範囲にあるように温度制御するものが一般的であるから、使用記録信号付与時にインクが液状をなすものであればよい。
【００８５】
加えて、積極的に熱エネルギーによる昇温をインクの固形状態から液体状態への状態変化のエネルギーとして使用せしめることで積極的に防止するため、またはインクの蒸発を防止するため、放置状態で固化し加熱によって液化するインクを用いても良い。いずれにしても熱エネルギーの記録信号に応じた付与によってインクが液化し、液状インクが吐出されるものや、記録媒体に到達する時点では既に固化し始めるもの等のような、熱エネルギーの付与によって初めて液化する性質のインクを使用する場合も本発明は適用可能である。このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
【００８６】
さらに加えて、本発明に係る記録装置の形態としては、コンピュータ等の情報処理機器の画像出力端末として一体または別体に設けられるものの他、リーダ等と組み合わせた複写装置、さらには送受信機能を有するファクシミリ装置の形態を取るものであっても良い。
【００８７】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００８８】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００８９】
その場合、プログラムの機能を有していれば、オブジェクトコード、インタプリタにより実行されるプログラム、ＯＳに供給するスクリプトデータ等、プログラムの形態を問わない。
【００９０】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００９１】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００９２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９３】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００９４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００９５】
【発明の効果】
以上説明したように、本発明によれば、操作工数を低減し、かつ各種操作を容易に実行することができる記録装置及びその制御方法、プログラムを提供できる。
【図面の簡単な説明】
【図１】本発明の実施形態のプリンタの外観を示す斜視図である。
【図２】本発明の実施形態のプリンタの外装部材を取り外した状態を示す斜視図である。
【図３】本発明の実施形態のプリンタの制御回路を示すブロック図である。
【図４】本発明の実施形態のプリンタの模式正面図である。
【図５】本発明の実施形態のプリンタの模式側面図である。
【図６】本発明の実施形態のプリンタのファンクションキーに複数種類の動作を設定する場合の処理を示すフローチャートである。
【符号の説明】
１０００　プリンタ
１００１　下ケース
１００２　上ケース
１００３　アクセスカバー
１００４　排出トレイ
１００４ａ、１００４ｂ　補助トレイ
１０１４　開口部
１　記録ヘッド
２　キャリッジ
３　ガイド軸
４　キャリッジモータ
５　タイミングベルト
６　係合爪
７　インクタンク
７ａ　係合穴
８　プラテン
９　フィードモータ
１０　回復部
１１　キャップ
１２　ワイパ
１３　ＡＳＦ
１４　光学式センサ
１５　発光素子
１６　受光素子
１７　シャーシ
１８　電源キー
１９　ファンクションキー
２０　ＬＥＤ
【図１】
2004082627.tif 000003
【図２】
2004082627.tif 000004
【図３】
2004082627.tif 000005
【図４】
2004082627.tif 000006
【図５】
2004082627.tif 000007
【図６】
2004082627.tif 000008